(57)【要約】【課題】内周面３ａの熱を簡易な構造により内周面３ａ内の被処理物ｗに効果的に伝達させて乾燥必要時間を飛躍的に短縮させ、しかもアーム１５や羽根体１６をこれらに伝達される回転力に起因した損傷の発生し難いものとなす。【解決手段】加熱される内周面３ａと、この内周面３ａの中心線回りへ回転されるアーム１５と、このアーム１５の先端に固定された被処理物加熱促進用の羽根体１６とを備えた真空乾燥機において、前記羽根体１６が弾性材からなる平板体となされると共に、この平板体１６は前記中心線に略平行に配置され且つ、前縁ｂ１と後縁ｂ２とが前記内周面３ａに左右向きの線状又は細巾面状に圧接された構成となす。  また平板体１６が平行四辺形となされ且つアーム１５の先端にネジ結合による脱着可能に固定されている構成となす。【選択図】図１
2007003172.tif 000002
【特許請求の範囲】
【請求項１】
加熱される内周面と、この内周面の中心線回りへ回転されるアームと、このアームの先端に固定された被処理物加熱促進用の羽根体とを備えた真空乾燥機において、前記羽根体が弾性材からなる平板体となされると共に、この平板体は前記中心線に略平行に配置され且つ、前縁と後縁とが前記内周面に左右向きの線状又は細巾面状に圧接された構成を特徴とする真空乾燥機。
【請求項２】
前記平板体が平行四辺形となされ且つ前記アームの先端にネジ結合による脱着可能に固定されていることを特徴とする請求項１記載の真空乾燥機。
【請求項３】
前記平板体を前縁側半分と後縁側半分とに二分し、前縁側半分と後縁側半分とを回転軸中心線回りへ離反させてそれぞれをアームに固定したことを特徴とする請求項１記載の真空乾燥機。
【請求項４】
弾性材からなる平板体であって、少なくとも前縁と後縁とが略平行に形成されると共に、右側縁又は左側縁のうちの何れか一方のものと前縁との挟角θ、及び、前記一方のものに対し他方となる右側縁又は左側縁のうちの何れかと後縁との挟角θが凡そ４５度〜８０度程度となされていることを特徴とする真空乾燥機の被処理物加熱促進用羽根体。
【請求項５】
弾性材からなる平行四辺形の平板体であって、前縁又は後縁の何れか一方のものと、右側縁又は左側縁の何れか一方のものとの挟角θが凡そ４５度〜８０度程度となされていることを特徴とする真空乾燥機の被処理加熱促進用羽根体。
【請求項６】
全体が内周面上を前縁側へ向け移動されるときには、前縁が内周面に付着した被処理物を剥離させ、且つ、左側縁及び右側縁のうちの何れか一方が被処理物中の半固形物を切断して細分化し、且つ、平板体の内周面半径方向外側の表面ｄ１と内周面との間に形成された断面略三日月形状の空間が内周面内に存在する被処理物の進入を許容し、且つ、後縁近傍部が前記空間内に進入した被処理物を内周面に弾圧状に接触させるように作用し、一方、全体が内周面上を後縁側へ向け移動されるときには、後縁が内周面に付着した被処理物を剥離させ、且つ、左側縁及び右側縁のうちの何れか一方が被処理物中の半固形物を切断して細分化し、且つ、平板体の内周面半径方向外側の表面ｄ１と内周面との間に形成された断面略三日月形状の空間が内周面内に存在する被処理物の進入を許容し、且つ、前縁近傍部が前記空間内に進入した被処理物を内周面に弾圧状に接触させるように作用することを特徴とする請求項４又は５記載の真空乾燥機の被処理物加熱促進用羽根体。
【発明の詳細な説明】
【技術分野】
【０００１】  本発明は、生ゴミなどの真空乾燥機及び、これに使用される被処理物加熱促進用羽根体に関し、特に乾燥中の熱効率を向上させることを特徴とする。
【背景技術】
【０００２】  電気ヒータとか水蒸気などで加熱される内周面を具備した円筒形密閉容器と、前記内周面の中心線回りへ回転される多数のアームと、これらアームのそれぞれの先端に固定された被処理物加熱促進用の羽根体とを備えた生ゴミなどの真空乾燥機は種々存在している。【０００３】  この種の真空乾燥機では、前記内周面内に半固形物を含む生ゴミなどの被処理物が投入されると共に、前記内周面が加熱され、これの内方が真空状態となされた状態の下で、アーム及び羽根体が前記内周面の中心線回りへ回転される。
この際、アーム及び羽根体は生ゴミなどを攪拌して前記内周面から生ごみへの熱伝達を促進するのであり、これにより被処理物は均等且つ効果的に加熱され短時間で乾燥される。【０００４】
【特許文献１】特開２００２−３４７００７号公報
【発明の開示】
【発明が解決しようとする課題】
【０００５】  上記した従来の真空乾燥機では、羽根体が前記内周面との間に隙間を保有した状態で回転されるため、羽根体の回転中にあっても、前記内周面に接触した被処理物が乾燥して固化し前記内周面に数ｍｍ〜数十ｍｍ程度の層状に付着することが生じ得る。【０００６】  この層状に付着した被処理物は、前記内周面の熱が被処理物に伝達される上で大きな障害をなすのであって、被処理物の性状によっては、その乾燥に要する時間を著しく長期化させるものとなっている。【０００７】  一方、被処理物が前記内周面に付着するのを阻止するには、羽根体を前記内周面に接触させて回転させればよいのであるが、このようにすると、被処理物に含まれることのある固形物が羽根体と前記内周面の間に噛み込むなどして羽根体やアームが折れ曲がるなどの損傷の発生することがあり、またこのような構造を従来の羽根体で実現するには、羽根体の回転軌跡を前記内周面に正確に合致させることが必要となって製造コストが著しく増大する恐れがある。【０００８】  本発明は、斯かる問題点を簡易構造により比較的安価に解消することのできる真空乾燥機、及び、真空乾燥機の被処理物加熱促進用羽根体を提供することを目的とする。
【課題を解決するための手段】
【０００９】  上記目的を達成するため、第１の発明に係る真空乾燥機は、請求項１に記載したように、加熱される内周面と、この内周面の中心線回りへ回転されるアームと、このアームの先端に固定された被処理物加熱促進用の羽根体とを備えた真空乾燥機において、前記羽根体が弾性材からなる平板体となされると共に、この平板体は前記中心線に略平行に配置され且つ、前縁と後縁とが前記内周面に左右向きの線状又は細巾面状に圧接された構成としたものである。【００１０】  この発明は次のように具体化するのがよい。
即ち、請求項２に記載したように、前記平板体が平行四辺形となされ且つこの平行四辺形の中央個所を前記アームの先端にネジ結合による脱着可能に固定されているものとなす。【００１１】  また請求項３に記載したように、前記平板体を前縁側半分と後縁側半分とに二分し、前縁側半分と後縁側半分とを回転軸中心線回りへ離反させてそれぞれをアームに固定した構成となす。【００１２】  次に第２の発明に係る真空乾燥機の被処理物加熱促進用羽根体は、請求項４に記載したように、弾性材からなる四辺形の平板体であって、少なくとも前縁と後縁とが略平行に形成されると共に、右側縁又は左側縁のうちの何れか一方のものと前縁との挟角θ、及び、前記一方のものに対し他方となる右側縁又は左側縁のうちの何れかと後縁との挟角θが凡そ４５度〜８０度程度となされているものである。【００１３】  この発明は次のように具体化する。
即ち、請求項５に記載したように、弾性材からなる平行四辺形の平板体であって、前縁又は後縁の何れか一方のものと、右側縁又は左側縁の何れか一方のものとの挟角θが凡そ４５度〜８０度程度となされている構成となす。【００１４】  さらには請求項６に記載したように、全体が内周面上を前縁側へ向け移動されるときには、前縁が内周面に付着した被処理物を剥離させ、且つ、左側縁及び右側縁のうちの何れか一方が被処理物中の半固形物を切断して細分化し、且つ、平板体の内周面半径方向外側の表面ｄ１と内周面との間に形成された断面略三日月形状の空間が内周面内に存在する被処理物の進入を許容し、且つ、後縁近傍部が前記空間内に進入した被処理物を内周面に弾圧状に接触させるように作用し、一方、全体が内周面上を後縁側へ向け移動されるときには、後縁が内周面に付着した被処理物を剥離させ、且つ、左側縁及び右側縁のうちの何れか一方が被処理物中の半固形物を切断して細分化し、且つ、平板体の内周面半径方向外側の表面ｄ１と内周面との間に形成された断面略三日月形状の空間が内周面内に存在する被処理物の進入を許容し、且つ、前縁近傍部が前記空間内に進入した被処理物を内周面に弾圧状に接触させるように作用するものとなす。
【発明の効果】
【００１５】  以上のような本発明によれば次のような効果が得られる。
即ち、
請求項１記載の発明によれば、羽根体が内周面上を前縁側へ向け移動されるときには前縁が内周面に層状に付着しようとしている生ごみなどの被処理物を効果的に掻き落とすと共に、後縁が被処理物を内周面に層状に押さえ付けることを繰り返すものとなり、一方、羽根体が内周面上を後縁側へ向け移動されるときには後縁が内周面に層状に付着しようとしている被処理物を効果的に掻き落とすと共に、前縁が被処理物を内周面に層状に押さえ付けることを繰り返すものとなり、したがって、内周面は乾燥し固化した被処理物で覆われた状態を継続されることのないものとなって時々刻々異なる被処理物を圧密状に接触されて、被処理物を効率的に加熱するものとなり、特に半固形物を多く含むような被処理物を迅速に乾燥させることができる。【００１６】  また羽根体が平板体であるため、被処理物中を比較的抵抗の少ない状態で周回移動することができ、また羽根体が弾性材からなる平板体であるため、被処理物に金属やコンクリートのような固形物が混入してこれが平板体と内周面との間に噛み込んでも羽根体は自身の弾性で退避状に屈曲変形してそれを支障なく乗り越えて移動することができ、羽根体及びアームは損傷を防止されるのであり、また羽根体は簡易な構造であるため安価に製造できるものである。【００１７】  また請求項２記載の発明によれば、請求項１記載の発明と同様な効果が得られる上に次のような効果が得られるのであって、即ち、羽根体が前縁側或いは後縁側の何れの側へ向けて移動されるときにも同等に次のような既述の効果、即ち、内周面は乾燥し固化した被処理物で覆われた状態を継続されることのないものとなって時々刻々異なる被処理物を圧密状に接触され被処理物を効率的に加熱するものとなるという効果を得ることができる。【００１８】  また羽根体が内周面上を前縁側へ向け移動されるときには、前縁が内周面に付着した被処理物を剥離させ、且つ、左側縁及び右側縁のうちの何れか一方が被処理物中の固形物を切断して細分化し、且つ、平板体の内周面半径方向外側の表面ｄ１と内周面との間に形成された断面略三日月形状の空間が内周面内に存在する被処理物の進入を許容し、且つ、後縁近傍部が前記空間内に進入した被処理物を内周面に弾圧状に接触させるように作用し、一方、羽根体が内周面上を後縁側へ向け移動されるときには、後縁が内周面に付着した被処理物を剥離させ、且つ、左側縁及び右側縁のうちの何れか一方が被処理物中の固形物を切断して細分化し、且つ、平板体の内周面半径方向外側の表面ｄ１と内周面との間に形成された断面略三日月形状の空間が内周面内に存在する被処理物の進入を許容し、且つ、前縁近傍部が前記空間内に進入した被処理物を内周面に弾圧状に接触させるように作用するものとなり、内周面内の被処理物に半固形物が多く含まれる場合にも、内周面による被処理物の加熱が効果的に促進されるものとなる。【００１９】  さらに羽根体が消耗などしたときにはネジ結合を解除することにより簡易に新しい羽根体と交換することができるものとなる。【００２０】  また請求項３記載の発明によっても、請求項１又は２に記載の発明とほぼ同様な効果が得られる。【００２１】  また請求項４記載の発明によれば、請求項１記載の発明を効果的に実現させる上で寄与するものであり、また全体が内周面上を前縁側へ向け移動されるときには、前縁が内周面に付着した被処理物を剥離させ、且つ、左側縁及び右側縁のうちの何れか一方が被処理物中の固形物を切断して細分化し、且つ、平板体の内周面半径方向外側の表面ｄ１と内周面との間に形成された断面略三日月形状の空間が内周面内に存在する被処理物の進入を許容し、且つ、後縁近傍部が前記空間内に進入した被処理物を内周面に弾圧状に接触させるように作用し、一方、全体が内周面上を後縁側へ向け移動されるときには、後縁が内周面に付着した被処理物を剥離させ、且つ、左側縁及び右側縁のうちの何れか一方が被処理物中の固形物を切断して細分化し、且つ、平板体の内周面半径方向外側の表面と内周面との間に形成された断面略三日月形状の空間が内周面内に存在する被処理物の進入を許容し、且つ、前縁近傍部が前記空間内に進入した被処理物を内周面に弾圧状に接触させるように作用するものとなり、内周面内の被処理物に半固形物が多く含まれる場合にも、内周面による被処理物の加熱を効果的に促進することができる。【００２２】  また請求項５記載の発明によれば、請求項３記載の発明と同様な効果が得られる上に次のような効果が得られるのであって、即ち、全体が前縁側或いは後縁側の何れの側へ向けて移動されるときにも同等に次のような既述の効果、即ち、内周面は乾燥し固化した被処理物で覆われた状態を継続されることのないものとなって時々刻々異なる被処理物を圧密状に接触され被処理物を効率的に加熱するものとなるという効果が得られるものとなる。【００２３】  また請求項６記載の発明によれば、既述したように、内周面内の被処理物に半固形物が多く含まれる場合にも、内周面による被処理物の加熱を効果的に促進することができる。
【発明を実施するための最良の形態】
【００２４】  以下、本発明の実施の形態について図面を参照して詳細に説明する。
図１は本発明の一実施例に係る真空乾燥機の正面視断面図、図２は図１のｘ１−ｘ１部を示す断面図、図３は前記真空乾燥機の被処理物加熱促進用の羽根体を示す平面図、図４は前記羽根体の第１変形例を示す平面図、図５は前記羽根体の第２変形例を示す平面図、図６は前記羽根体の第３変形例を示す平面図、図７は前記羽根体の作用を示す説明図、図８は前記羽根体の移動軌跡を示す説明図、図９は前記一実施例の変形例を示す図である。【００２５】  図１及び図２において、１は円筒形密閉容器であり、円周壁部１ａと左右の端面壁部１ｂ、１ｃとからなっている。そして、円周壁面部１ａ及び左右の端面壁部１ｂ、１ｃは外壁面２と内壁面３とで二重構造となされている。【００２６】  ４は円筒形密閉容器１の上部左寄り位置に縦向きに形成された被処理物投入口であり、この投入口４は生ごみなどの被処理物ｗを円筒形密閉容器１の外方から開閉仕切弁５を経て内面壁３の内方へ投入するためのものである。【００２７】  ６は円筒形密閉容器１の上部右寄り位置に縦向きに形成された気体吸引口であり、この気体吸引口６は内壁面３の内方に存在する空気や水蒸気を開閉弁７を経て円筒形密閉容器１の外方へ吸引し排出するためのものである。【００２８】  外壁面２と内壁面３との間に形成された空間８は熱媒体通路となされるのであり、この通路８には例えばボイラで発生された水蒸気、或いは電気ヒータで加熱された水などが流通される。【００２９】  ９は右側の端面壁部１ｃに横向きに形成された被処理物排出口であり、内壁面３内で乾燥された被処理物ｗを内壁面３の内方から開閉仕切弁１０を経て円筒形密閉容器１の外方へ取り出すためのものである。【００３０】  １１は円周面部１ａの中心位置に左右向きに設けられた回転軸であり、この回転軸１１は左右の端面壁部１ｂ、１ｃの中心個所に固設された軸受１２ａ、１２ｂを介して回転自在に装設されている。この回転軸１１の左端部には入力プーリ１３が固定されており、この入力プーリ１３は図示しないモータの回転をベルト又はチェーンなどの伝動部材１４を介して入力されるものである。【００３１】  回転軸１１の外周面の一端側から一定間隔Ｌ１ごとの位置に回転軸１１半径方向に沿わせた１本のアーム１５が固定されており、これらアーム１５は回転軸１１の左端側のものから一定間隔Ｌ１移動する度に回転軸１１中心線回りの左方視反時計回り方向ｆ１へ９０度づつ変位させた状態となされている。各アーム１５は帯状の厚板となされると共に左右の表面ａ１、ａ２が回転軸１１の半径面に対して特定方向へ傾斜されていて、回転軸１１が左方視反時計回りに回転されたとき、左右の表面ａ１、ａ２が内壁面３の内周面３ａ内に投入された被処理物ｗを右側へ送り移動させ、逆に回転軸１１が左方視時計回りに回転されたとき、左右の表面ａ１、ａ２が内周面３ａ内の被処理物ｗを左側へ送り移動させるものとなされている。【００３２】  各アーム１５の先端には弾性材からなる被処理物加熱促進用の羽根体１６がボルトやナットなどによるネジ結合により脱着可能に固定されている。この羽根体１６は図１及び図３に示すように前縁ｂ１、後縁ｂ２、左側縁ｂ３及び右側縁ｂ４からなる平行四辺形の平板体で、しかも右側縁又は��側縁のうちの何れか一方のものと前縁との挟角θ、及び、前記一方のものに対し他方となる右側縁又は左側縁のうちの何れかと後縁との挟角θが凡そ４５度〜８０度程度となされているものとなすのが最適である。しかし、これに限定するものではないのであって、例えば、図４〜図６に示すように、少なくとも前縁ｂ１と後縁ｂ２とが略平行に形成されると共に、前縁ｂ１に連続した左側縁ｂ３又は右側縁ｂ４のうちの少なくとも何れか一方のものを前縁ｂ１の左右方向外側へ張り出すような傾斜辺となし、且つ、後縁ｂ２に連続した左側縁ｂ３又は右側縁ｂ４のうちの少なくとも何れか一方のものを後縁ｂ２の左右方向外側へ張り出すような傾斜辺となし、且つ、前縁ｂ１又は後縁ｂ２と前記傾斜辺との挟角θ１を凡そ４５度〜８０度程度となしたものでもよい。【００３３】  ここに、図４の符号Ａ、Ｂ、Ｃ及びＤに示す平板体１６は前縁ｂ１と後縁ｂ２とが平行状態に対向されていて左側縁ｂ３と右側縁ｂ４とが非平行状態に対向された四辺形となされており、また図５中のＡ、Ｂ及びＣに示す平板体１６は前縁ｂ１と後縁ｂ２とが平行状態に対向されていて前縁側半分と後縁側半分とが台形となされた六辺形となされており、また図６に示す平板体１６は前後方向中央部に平行辺を有し且つこれら平行辺の前縁側と後縁側とを台形となされている。
なお、図３〜図６に示した形状は本発明の効用の得られる範囲内で幾分変形したものをも代表するものである。【００３４】  各羽根体１６はこれの中央個所をアーム１５の先端に固定させるのがよいのであり、また前縁ｂ１及び後縁ｂ２は内周面３ａの中心線に略平行となるように配置され被処理物の存在しない状態では何れも内周面に押圧された状態となされる。【００３５】  さらに本例では図２に示すように前縁ｂ１近傍部及び後縁ｂ２近傍部のそれぞれが内周面に沿った状態に屈曲されているのであり、これにより前縁ｂ１又は後縁ｂ２が内周面３ａ上を摺接移動するときに内周面３ａの微少な凹凸や、被処理物投入口４の開口個所や、気体吸引口６の開口個所に引っ掛かる現象が抑制されるほか、前縁２ａ及び後縁２ｂが内周面３ａに細巾面状に圧接するものとなって被処理物ｗを内周面３ａに安定的に押圧するものとなる。【００３６】  次に上記した図１及び図２に示す真空乾燥機の使用例及び作用について説明する。
開閉仕切弁１０を閉鎖した状態の下で、開閉仕切弁５を開放し、生ごみなどの被処理物ｗを被処理物投入口４から投入し、被処理物ｗが内周面３ａ内の全高の６〜７割程度に達した状態となした後、開閉仕切弁５を閉鎖する。【００３７】  一方では熱媒体通路８にボイラで加熱された水蒸気を流通させて内周面３ａを例えば８５℃〜９０℃程度に加熱すると共に、気体吸引口６及び開閉弁７を通じて内周面３ａの内方から空気や水蒸気を吸引して内周面３ａ内の気圧を凡そ９５〜９７ｋＰａ程度となす。【００３８】  このような雰囲気中で回転軸１１を左方視反時計回り方向ｆ１へ回転させたりその逆方向へ回転させることを繰り返す。【００３９】  回転軸１１が左方視反時計回り方向ｆ１へ回転されたときは、アーム１５の左右の表面ａ１、ａ２で内周面３ａ内の被処理物ｗは右側へ送り移動されるのであり、また図７に示すように、各羽根体１６は、前縁ｂ１が内周面３ａにこれの熱で乾燥され固化された状態で付着した被処理物ｗを矢印ｃ１で示すように剥離させ、また右側縁ｂ４がこれの前方に存在している被処理物ｗの半固形物などを切断して細分化し、また羽根体１６の外面ｄ１と内周面３ａとで囲まれた断面三日月形の柱状空間ｅはこれの横側の開口個所から被処理物ｗが矢印方向ｃ２へ進入するのを許容し、さらに後縁ｂ２が前記柱状空間ｅ内に進入した被処理物ｗを平板体１６の弾性により内周面３ａに押さえつけながら前縁ｂ１側へ移動するものとなる。この際、後縁ｂ１で内周面３ａに押さえ付けられた被処理物ｗは後縁ｂ２を仮想線ｇ１で示すように内周面３ａの中心側へ弾性変形させることにより後縁ｂ２の前縁ｂ１側への円滑な移動を可能となすと共に、後縁ｂ２の前縁ｂ１側への移動により後縁ｂ２の後方側に位置するものとなる。【００４０】  一方、回転軸１１が左方視時計回り方向へ回転されたときは、アーム１５の左右の表面ａ１、ａ２で内周面３ａ内の被処理物ｗは左側へ送り移動されるのであり、また各羽根体１６は、後縁ｂ２が内周面３ａにこれの熱で乾燥され固化した状態で付着した被処理物ｗを先の前縁ｂ１の場合に準じて剥離させ、また左側縁ｂ３がこれの回転方向前方に存在している被処理物ｗの半固形物を切断して細分化し、また羽根体１６の外面ｄ１と内周面３ａとで囲まれた断面三日月形の柱状空間ｅはこれの横側の開口個所から先の右側縁ｂ４の場合に準じて被処理物ｗの進入するのを許容し、さらに前縁ｂ１が前記柱状空間ｅ内に進入した被処理物ｗを平板体１６の弾性により内周面３ａに押さえつけながら後縁ｂ２側へ相対移動するものとなる。この際、前縁ｂ１で内周面３ａに押さえ付けられた被処理物ｗは前縁ｂ１を内周面３ａの中心側へ弾性変形させることにより前縁ｂ２の後縁ｂ１側への円滑な移動を可能となすと共に前縁ｂ１の後縁ｂ２側への移動により前縁ｂ２の前方側に位置するものとなる。【００４１】  このような羽根体１６の作用は羽根体１６が図３に示す形状のものに限らず、図４〜図６に示す形状のものでも略同様に得られるのであり、この際、挟角θ、θ１が凡そ４５度〜８０程度となされていることは左側縁ｂ３又は右側縁ｂ４で被処理物ｗの半固形物を切断する作用を効果的に発揮させるものである。【００４２】  図１に示す��ての羽根体１６は回転軸１１の回転により内周面３ａ上を摺接移動するものとなるが、この際のこれら羽根体１１の移動軌跡は図８に示すようなものとなる。図８において、ｈは単一の羽根体１１の移動軌跡を示しており、ｈ１は羽根体１６が一回通過した移動軌跡を示し、ｈ２は羽根体１６が２回通過した移動軌跡を示している。【００４３】  このようなアーム１５及び羽根体１６の作用により、内周面３ａ内の被処理物ｗは攪拌されつつ内周面３ａの熱を効率的且つ効果的に伝達されて加熱されるものとなり、被処理物ｗ中の水分は例えば凡そ５０℃程度に加熱され激しく沸騰し蒸発する。【００４４】  特に、各羽根体１６の前縁ｂ１や後縁ｂ２が内周面３ａに付着した被処理物ｗを剥離させることは内周面３ａの熱が内周面３ａ内の被処理物ｗへ伝達される現象を飛躍的に促進させるのであり、また左側縁ｂ３や右側縁ｂ４が被処理物ｗの半固形物などを切断して細分化することは、内周面３ａの熱が半固形物に伝達される現象をさらに効果的となすのであり、また各羽根体１６の前縁ｂ１や後縁ｂ２が被処理物ｗを内周面３ａに押しつけることは、内周面３ａ内の被処理物ｗに含まれる水分が内周面に密接されるものとなって内周面３ａの熱が被処理物ｗに含まれる水分に伝達される現象を飛躍的に促進させて水分蒸発の際のジュージュー音が盛んに発せられる状態となすのであり、これらの作用により内周面３ａ内の被処理物ｗは極めて効率的且つ能率的に乾燥され、被処理物の性状によっては乾燥所要時間が３分の１程度まで短縮されるのである。【００４５】  なお、このような被処理物加熱促進用羽根体の作用は、被処理物加熱促進用羽根体が台形であっても平行四辺形の場合に準じて得られる。【００４６】  内周面３ａ内の被処理物ｗが乾燥したとき、気体吸引口６からの気体吸引を停止させると共に開閉仕切弁９を開放し、回転軸１１を左方視反時計回り方向ｆ１へ回転させる。これにより内周面３ａ内の被処理物ｗはアーム１５の左右の表面ａ１、ａ２による送り作用により右側へ送り移動され被処理物排出口９及び開閉仕切弁１０を経て円筒形密閉容器１の外方へ取り出される。【００４７】  この後、被処理物ｗが先と同様に内周面３ａ内に投入されるのであり、以後は上述と同じ処理が繰り返される。【００４８】  上記した実施例は次のように変形することができる。
即ち、図１の回転軸１１のアーム１５及び羽根体１６の配列を適宜に変更しても差し支えないのであり、この際、回転軸１１が一回転することにより、内周面３ａの同じ個所上を複数の羽根体１６が３回以上重複して通過するようになすこともできる。【００４９】  また図１の回転軸１１に従来と同様な攪拌用の複数のアーム及び羽根体を付加的に設けることも差し支えない。この際、先の実施例におけるアーム１５の左右の表面ａ１、ａ２の傾斜は付加的に設けられるアームとの関係で任意に変更して差し支えない。【００５０】  さらには図９Ａに示す平板体１６を前縁側半分１６ａと後縁側半分１６ｂとに二分して、図９Ｂに示すように、前縁側半分１６ａの後部を１つのアーム１５ａに固定し、後縁側半分１６ｂの前部を前記１つのアーム１５ａから離れて付加的に設けたアーム１５ｂに固定することも可能であり、これによっても先の実施例と略同様な作用が得られる。なお、図９中、既述のものと実質的に同一の個所には同一の符号を付している。
【図面の簡単な説明】
【００５１】
【図１】本発明の一実施例に係る真空乾燥機の正面視断面図である。
【図２】図１のｘ１−ｘ１部を示す断面図である。
【図３】前記真空乾燥機の被処理物加熱促進用の羽根体を示す平面図である。
【図４】前記羽根体の第１変形例を示す平面図である。
【図５】前記羽根体の第２変形例を示す平面図である。
【図６】前記羽根体の第３変形例を示す平面図である。
【図７】前記羽根体の作用を示す説明図である。
【図８】前記羽根体の移動軌跡を示す説明図である。
【図９】前記一実施例の変形例を示す図である。
【符号の説明】
【００５２】３ａ  内周面
１１  回転軸
１５  アーム
１６  羽根体
１６ａ  前縁側半分
１６ｂ  後縁側半分
θ  挟角
ｂ１  前縁
ｂ２  後縁
ｂ３  左側縁
ｂ４  右側縁
ｅ  空間
【図１】
2007003172.tif 000003
【図２】
2007003172.tif 000004
【図３】
2007003172.tif 000005
【図４】
2007003172.tif 000006
【図５】
2007003172.tif 000007
【図６】
2007003172.tif 000008
【図７】
2007003172.tif 000009
【図８】
2007003172.tif 000010
【図９】
2007003172.tif 000011